(57)【要約】【課題】在庫管理用のデータ入力誤りが生じた場合には作業者が即座に認識できるようにするとともに、その入力誤りのあったデータ入力項目の内容も容易に確認できるようにした在庫管理システムを提供する。【解決手段】ディスプレイ５に表示された在庫管理用のダイアログボックス画面１０に基づいて在庫管理データの入力操作を行う場合に、同画面１０内に確保されているデータ入力ウィンドウ１１，１２へのデータ入力に応じて、この入力データがマスタファイルに基準データとして登録されているか否かを判定し、入力データがマスタファイルに登録されていない場合には、データ入力ウィンドウ１１，１２を所定周期で振動させる構成としている。【選択図】　図４
2004091147.tif 000002
【特許請求の範囲】
【請求項１】
在庫管理用の基準データが予め登録されているマスタファイルを備えるとともに、ディスプレイに表示された在庫管理用のダイアログボックス画面に基づいて在庫管理データの入力操作を行う在庫管理システムにおいて、前記ダイアログボックス画面内にデータ入力ウィンドウが確保されており、このデータ入力ウィンドウへのデータ入力に応じて、この入力データが前記マスタファイルに基準データとして登録されているか否かを判定し、入力データがマスタファイルに登録されていない場合には、前記データ入力ウィンドウを所定周期で振動させる構成であることを特徴とする在庫管理システム。
【請求項２】
前記データ入力ウィンドウの振動方向は、上下左右斜めの各方向の内の少なくとも２つの方向であることを特徴とする請求項１記載の在庫管理システム。
【発明の詳細な説明】
【０００１】
【発明の属する技術分野】
本発明は、各種の製品や産物等の在庫管理を行う在庫管理システムに係り、特には、在庫管理用のデータの入力誤りがあった場合に、作業者がそれを見落とすことなく即座に認識できるようにするための技術に関する。
【０００２】
【従来の技術】
一般に、自動倉庫などにおいては、在庫管理システムが採用されたものがある。この在庫管理システムでは、パーソナルコンピュータなどのコンピュータ装置を利用して在庫管理用のデータを入力することで、倉庫内の製品や産品、パレットなどの入出庫を管理することが行われている。
【０００３】
たとえば、入庫予定の製品を荷置きするために、自動倉庫に格納されている現在未使用のパレット（以下、空パレットと称する）を出庫する必要がある場合には、図４に示すように、ＣＲＴやＬＣＤ等からなるディスプレイに空パレット出庫設定用のダイアログボックス画面１０を表示する。
【０００４】
このダイアログボックス画面１０には、出庫対象となる倉庫および入出庫用のステーションを指定する倉庫区分／ＳＴ（ステーション）指定用ウィンドウ１１、空パレットの種類や寸法を指定する空パレットコード指定用ウィンドウ１２、空パレットの出庫数量を指定する出庫数量指定用ウィンドウ１３、出庫可能な現在保管中の空パレットの数を表示する出庫可能数表示ウィンドウ１４、および入力データが誤っている場合にエラーメッセージを表示するエラーメッセージ表示バー１５などが確保されている。
【０００５】
そして、図５のフローチャートに示すように、倉庫区分／ＳＴ指定用ウィンドウ１１には出庫対象となる倉庫区分およびステーション指定用のデータを入力し、また、空パレットコード指定用ウィンドウ１２には空パレットコードを入力する（Ｓ１）。
【０００６】
コンピュータ装置には、予め在庫管理用の基準データがマスタファイルとして登録されており、上記の倉庫区分／ＳＴ指定用ウィンドウ１１や空パレットコード指定用ウィンドウ１２に所要のデータが入力された場合には、マスタファイルを参照して（Ｓ２）、上記のように入力されたデータがマスタファイルに存在するか否かを判断する（Ｓ３）。
【０００７】
そして、入力データがマスタファイルに存在する場合には、倉庫区分／ＳＴ指定用ウィンドウ１１および空パレットコード指定用ウィンドウ１２で指定された所定の保管場所にある出庫可能な空パレットの数を検索し、そのデータが出庫可能数表示ウィンドウ１４に表示される。そこで、操作者は、出庫可能数を参照して出庫数量指定用ウィンドウ１３に空パレットの出庫数量のデータを入力する。
【０００８】
一方、上記の倉庫区分／ＳＴ指定用ウィンドウ１１や空パレットコード指定用ウィンドウ１２に入力されたデータがマスタファイルに存在しないときには、エラーメッセージ表示バー１５に入力データが誤っている旨のエラーメッセージが表示される（Ｓ４）。
【０００９】
たとえば、空パレットコード指定用ウィンドウ１２に入力したデータに誤りがあった場合には、エラーメッセージ表示バー１５には『空パレットコードを入力し直して下さい。該当データが存在しません。』といったエラーメッセージが表示される。さらに、ブザーにより入力誤りがあったことを作業者に伝える（Ｓ５）。
【００１０】
なお、上記の説明は、ディスプレイに空パレット出庫設定用のダイアログボックス画面１０を表示してデータ入力を行う場合の例であるが、倉庫内の製品や産品の入出庫を管理する場合についても同様な処理が行われる。
【００１１】
【発明が解決しようとする課題】
このように、従来、ディスプレイに表示された在庫管理用のダイアログボックス画面１０に基づいて在庫管理データの入力操作を行っているが、近年、多種多様な在庫管理の要求に応えるためにデータ入力項目が多くなるとともに、データ長も長くなる傾向にある。このため、入力データに誤りを生じる頻度も多くなってきている。
【００１２】
そして、従来技術では、上述したようしにマスタファイルに登録されていないような誤ったデータが入力されたときには、その旨をメッセージで表示している。しかし、データ入力項目が多い場合には、データ入力作業の方に気を取られてエラーメッセージの表示に気づかないことがある。そのため、入力誤りが生じているにもかかわらず他の項目へのデータ入力作業をそのまま続けてしまい、所望の入出庫の管理結果が得られないことに気付いたときに最初からデータを入力し直すなど、無駄な時間を消費することがあった。
【００１３】
また、従来技術では、ブザーなどの音によってデータ入力誤りがあった旨を作業者に伝えることも行っているが、コンピュータ装置の設置箇所によっては、騒音が頻繁に発生する環境下にあることがあり、その場合には、作業者に注意音が十分に聞き取れないため、上記と同様な不都合を生じる。
【００１４】
さらに、従来技術では、メッセージや音で注意を促す代わりに、データ入力誤りが生じたウィンドウ（上記の例では倉庫区分／ＳＴ指定用ウィンドウ１１や空パレットコード指定用ウィンドウ１２など）を所定の周期で点滅させて作業者に視覚的に注意を促す場合もあるが、ウィンドウを点滅させるときには、そのウィンドウに表示されているデータ入力項目の文字も点滅するため、その内容を容易に認識し難いという不具合がある。
【００１５】
本発明は、上記の問題点を解決するためになされたもので、在庫管理用のデータの入力操作を行う際にデータ入力誤りが生じた場合には、作業者がそれを見落とすことなく即座に認識できるようにするとともに、その入力誤りのあったウィンドウに表示されているデータ入力項目の内容も容易に確認できるようにした在庫管理システムを提供することを目的とする。
【００１６】
【課題を解決するための手段】
本発明は、上記の目的を達成するために、在庫管理用の基準データが予め登録されているマスタファイルを備えるとともに、ディスプレイに表示された在庫管理用のダイアログボックス画面に基づいて在庫管理データの入力操作を行う在庫管理システムにおいて、次のようにしている。
【００１７】
すなわち、請求項１記載の発明に係る在庫管理システムは、前記ダイアログボックス画面内にデータ入力ウィンドウが確保されており、このデータ入力ウィンドウへのデータ入力に応じて、この入力データが前記マスタファイルに基準データとして登録されているか否かを判定し、入力データがマスタファイルに登録されていない場合には、前記データ入力ウィンドウを所定周期で振動させる構成であることを特徴としている。
【００１８】
これにより、在庫管理用のデータの入力操作を行う際にデータ入力誤りが生じた場合には、ウィンドウが振動して作業者に対して視覚的に入力誤りを知らせるので、作業者はデータ入力誤りが生じたことを即座に認識することができる。しかも、そのデータ入力誤りのあったウィンドウに表示されているデータ入力項目を示す文字等は振動するけれども常に表示状態にあるため、作業者はその項目の内容を容易に確認することができる。
【００１９】
また、請求項２記載の発明に係る在庫管理システムは、請求項１記載の発明の構成において、前記データ入力ウィンドウの振動方向は、上下左右斜めの各方向の内の少なくとも２つの方向であることを特徴としている。
【００２０】
これにより、作業者に対してウィンドウの挙動が視覚的に強いインパクトでもって視野に入ってくるので、データ入力誤りを起こしたことを見落とすことが一層少なくなる。
【００２１】
【発明の実施の形態】
以下、本発明の実施の形態について、図面を参照して詳細に説明する。図１は本発明の実施の形態に係る在庫管理システムは、図１に示すようなパーソナルコンピュータ等のコンピュータ装置１を利用して実現されるものである。すなわち、このコンピュータ装置１は、ＣＰＵ２、半導体メモリやハードディスクなどのメモリ３、キーボード、マウス、タッチパネル等の入力操作部４、およびＣＲＴやＬＣＤ等のディスプレイ５を備えている。また、コンピュータ装置１は、ＬＡＮ等を介して図外のホストコンピュータに接続されている。
【００２２】
そして、メモリ３には、在庫管理用のアプリケーションソフトウェアがインストールされるとともに、在庫管理用の基準データを含むマスタファイルが予め登録されている。また、入力操作部４は、在庫管理データの入力操作を行うようになっており、ディスプレイ５には、入力操作部４の入力操作に応じて各種の在庫管理用のダイアログボックス画面が表示される。
【００２３】
次に、本発明の実施の形態に係る在庫管理システムにおけるデータ入力操作とこれに伴う画像処理内容を図２に示すフローチャート、および図３の説明図を参照して説明する。
【００２４】
たとえば、入庫予定の製品を荷置きするために、自動倉庫に格納されている空パレットを出庫する必要がある場合には、入力操作部４から指令信号を入力することにより、ディスプレイ５には図４に示すような空パレット出庫設定用のダイアログボックス画面１０が表示される。
【００２５】
このダイアログボックス画面１０内には、前述のごとく倉庫区分／ＳＴ指定用ウィンドウ１１、空パレットコード指定用ウィンドウ１２、出庫数量指定用ウィンドウ１３、出庫可能数表示ウィンドウ１４、およびエラーメッセージ表示バー１５などが確保されている。
【００２６】
そして、図２（ａ）のフローチャートに示すように、倉庫区分／ＳＴ指定用ウィンドウ１１には出庫対象となる倉庫区分およびステーション指定用のデータを入力し、また、空パレットコード指定用ウィンドウ１２には空パレットコードを入力する。
【００２７】
ＣＰＵ２は、入力操作部４の操作により倉庫区分／ＳＴ指定用ウィンドウ１１や空パレットコード指定用ウィンドウ１２に所要のデータが入力された場合には（Ｓ１）、マスタファイルを参照して（Ｓ２）、上記のように指定されたデータがマスタファイルに存在するか否かを判断する（Ｓ３）。そして、入力データがマスタファイルに存在する場合には、入力データに対応した出庫可能な空パレットの数を検索し、そのデータを出庫可能数表示ウィンドウ１４に表示する。そこで、操作者は、出庫可能数を参照して出庫数量指定用ウィンドウ１３に空パレットの出庫数量のデータを入力する。
【００２８】
一方、上記の倉庫区分／ＳＴ指定用ウィンドウ１１や空パレットコード指定用ウィンドウ１２に入力されたデータがマスタファイルに存在しないときには、エラーメッセージ表示バー１５に入力データが誤っている旨のエラーメッセージを表示する（Ｓ４）。
【００２９】
たとえば、いま、空パレットコード指定用ウィンドウ１２に入力したデータに誤りがあった場合、つまり、入力した空パレットコードがマスタファイルに存在しない場合には、エラーメッセージ表示バー１５にエラーメッセージが表示される。さらに、ブザーにより入力誤りがあったことを作業者に伝える（Ｓ５）。
【００３０】
引き続いて、この実施の形態では、入力データがマスタファイルに登録されていない場合には、ＣＰＵ２は、ウィンドウ振動開始モードに移行して、データ入力ウィンドウ１１，１２などを一定期間にわたって所定周期で振動させる（Ｓ６）。
【００３１】
すなわち、空パレットコード指定用ウィンドウ１２への入力誤りがあったときを例にとると、図２（ｂ）のフローチャートに示すように、ＣＰＵ２は、ウィンドウの振動開始モードになると、まず、ウィンドウ１２を図３（ａ）に示す元の位置から同図（ｂ）に示すように右方向に所定距離（たとえば２ｍｍ）だけ移動させる（Ｓ６１）。次に、所定時間（たとえば３０ｍｓｅｃ）経過すると（Ｓ６２）、次にウィンドウ１２を図３（ａ）に示す元の位置から同図（ｃ）に示すように左方向に所定距離（たとえば２ｍｍ）だけ移動させる（Ｓ６３）。続いて、所定時間（たとえば３０ｍｓｅｃ）経過すると（Ｓ６４）、上記の繰り返し回数が予め設定した規定値（たとえば４回）に達したか否かを判断し（Ｓ６５）、規定値に達するまではウィンドウ１２の左右方向の振動を繰り返す。そして、振動回数が規定値に達すると、ウィンドウ１２を図３（ａ）に示す元の位置に復帰させる（Ｓ６７）。
【００３２】
なお、上記の例は、空パレットコード指定用ウィンドウ１２へのデータ入力誤りが生じた場合であるが、倉庫区分／ＳＴ指定用ウィンドウ１１へのデータ入力誤りが生じた場合にも同様な処理が行われて、そのウィンドウ１１が振動するようにしても良い。また、出庫数量指定用ウィンドウ１３へのデータ入力誤りが生じた場合、例えば、入力データが上限値または下限値を越えた場合も同様にそのウィンドウ１３が振動するようにしても良い。
【００３３】
このように、在庫管理用のデータの入力操作を行う際にデータ入力誤りが生じた場合には、ウィンドウ１１，１２が振動して作業者に対して視覚的に入力誤りを知らせるので、作業者はデータ入力誤りが生じたことを即座に認識することができる。しかも、そのデータ入力誤りのあったウィンドウに表示されているデータ入力項目を示す文字等は振動するけれども常に表示状態にあるため、作業者はその項目の内容を容易に確認することができる。
【００３４】
なお、本発明は、上記の実施の形態で説明した態様に限定されるものではなく、本発明は趣旨を逸脱しない範囲で適宜に変更して実施することができる。
【００３５】
たとえば、上記の実施の形態では、ウィンドウ１１，１２の振動方向は、左右方向のみであったが、振動方向は、上下方向と左右方向の組み合わせ、あるいは２つの対角線に沿った斜め方向の組み合わせといったように、上下左右斜めの各方向の内の少なくとも２つの方向を組み合わせたものであってもよい。その場合には、作業者に対してウィンドウの挙動が視覚的に強いインパクトでもって視野に入ってくるので、データ入力誤りを起こしたことを見落とすことが一層少なくなる。
【００３６】
また、上記の実施の形態では、ディスプレイ５に空パレット出庫設定用のダイアログボックス画面１０を表示してデータ入力を行う場合の例について説明したが、本発明はこれに限定されるものではなく、倉庫内の製品や産品の入出庫を管理する他のダイアログボックス画面に確保されている複数のデータ入力ウィンドウ内にそれぞれデータ入力を行う場合についても同様に適用することができる。
【００３７】
【発明の効果】
本発明に係る在庫管理システムによれば、次の効果が得られる。
（１）　すなわち、請求項１記載の発明では、データ入力ウィンドウに対して在庫管理用のデータの入力操作を行う際にデータ入力誤りが生じた場合には、データ入力ウィンドウが所定周期で振動されるため、作業者はデータ入力誤りが生じたことを見落とすことなく即座に認識することができる。しかも、そのデータ入力誤りのあったウィンドウに表示されているデータ入力項目を示す文字等は振動するけれども常に表示状態にあるため、作業者はそのデータ入力のあった項目の内容を容易に確認することができ、その後の対処が容易になる。
【００３８】
（２）　また、請求項２記載の発明に係る在庫管理システムは、請求項１記載の発明の効果に加えて、データ入力ウィンドウの振動方向は、上下左右斜めの各方向の内の少なくとも２つの方向であるため、１方向にのみ振動する場合に比べて作業者に対してウィンドウの挙動が視覚的に強いインパクトでもって視野に入ってくる。このため、データ入力誤りを起こしたことを見落とすことが一層少なくなる。
【図面の簡単な説明】
【図１】本発明の実施の形態に係る在庫管理システムを構成するためのコンピュータ装置の概略を示すブロック図である。
【図２】本発明の実施の形態に係る在庫管理システムにおけるデータ入力操作とこれに伴う画像処理内容の説明に供するフローチャートである。
【図３】図２のフローチャートに伴って特定のデータ入力ウィンドウを振動させる場合の状況説明図である。
【図４】在庫管理用のダイアログボックス画面の一例を示す説明図である。
【図５】従来の在庫管理システムにおけるデータ入力操作とこれに伴う画像処理内容の説明に供するフローチャートである。
【符号の説明】
１　　コンピュータ装置
２　　ＣＰＵ
３　　メモリ
４　　入力操作部
５　　ディスプレイ
１０　　ダイアログボックス画面
１１　　倉庫区分／ＳＴ指定用ウィンドウ
１２　　空パレットコード指定用ウィンドウ
１３　　出庫数量指定用ウィンドウ
１４　　出庫可能数表示ウィンドウ
１５　　エラーメッセージ表示バー
【図１】
2004091147.tif 000003
【図２】
2004091147.tif 000004
【図３】
2004091147.tif 000005
【図４】
2004091147.tif 000006
【図５】
2004091147.tif 000007